(57)【要約】【課題】  モニタのみで観察する観察者の意思どおりにモニタ上の標本を移動させ、注目位置を見失ったり観察チャンスを逃したりしてしまう不都合を防止する。【解決手段】  通過する光を奇数回結像させる対物レンズ４と、該対物レンズ４を標本Ａに対して光軸に交差する方向に移動させる移動機構５と、該移動機構５を操作する操作部１５，２０と、対物レンズ４を介して取得された光に基づいて標本Ａの画像を取得する画像取得装置１１と、該画像取得装置１１により取得された画像を表示する画像表示装置２２とを備え、操作部１５，２０が、画像表示装置２２の作動状態に応じて移動機構５による対物レンズ４の移動方向を逆転させる観察装置１を提供する。【選択図】    図１
2007065573.tif 000002
【特許請求の範囲】
【請求項１】
通過する光を奇数回結像させる対物レンズと、
該対物レンズを標本に対して光軸に交差する方向に移動させる移動機構と、
該移動機構を操作する操作部と、
前記対物レンズを介して取得された光に基づいて標本の画像を取得する画像取得装置と、
該画像取得装置により取得された画像を表示する画像表示装置とを備え、
前記操作部が、前記画像表示装置の作動状態に応じて前記移動機構による対物レンズの移動方向を逆転させる観察装置。
【請求項２】
通過する光をゼロ回または偶数回結像させる対物レンズと、
該対物レンズに対して標本を光軸に交差する方向に移動させる移動機構と、
該移動機構を操作する操作部と、
前記対物レンズを介して取得された光に基づいて標本の画像を取得する画像取得装置と、
該画像取得装置により取得された画像を表示する画像表示装置とを備え、
前記操作部が、前記画像取得装置の作動状態に応じて前記移動機構による対物レンズの移動方向を逆転させる観察装置。
【請求項３】
通過する光を奇数回結像させる対物レンズと、
該対物レンズを標本に対して光軸に交差する方向に移動させる移動機構と、
該移動機構を操作する操作部と、
前記対物レンズを介して取得された光に基づいて標本の画像を取得する画像取得装置と、
該画像取得装置により取得された画像を表示する画像表示装置と、
少なくとも前記対物レンズおよび標本を覆う開閉可能なカバーとを備え、
前記操作部が、前記カバーの開閉状態に応じて前記移動機構による対物レンズの移動方向を逆転させる観察装置。
【請求項４】
通過する光をゼロ回または偶数回結像させる対物レンズと、
該対物レンズに対して標本を光軸に交差する方向に移動させる移動機構と、
該移動機構を操作する操作部と、
前記対物レンズを介して取得された光に基づいて標本の画像を取得する画像取得装置と、
該画像取得装置により取得された画像を表示する画像表示装置と、
少なくとも前記対物レンズおよび標本を覆う開閉可能なカバーとを備え、
前記操作部が、前記カバーの開閉状態に応じて前記移動機構による標本の移動方向を逆転させる観察装置。
【発明の詳細な説明】
【技術分野】
【０００１】
本発明は、観察装置に関し、特に、通過する光を奇数回結像させる対物レンズを有する観察装置に関するものである。
【背景技術】
【０００２】
従来、顕微鏡等の観察装置は、ステージ上に配置された標本に対して、目視により大まかに対物レンズを位置あわせした後、対物レンズを介して集光した標本からの光を直接、接眼レンズにより観察し、または、撮像手段によって画像として取得した後にモニタ等の画像表示装置を介して観察することとしている。
この場合において、対物レンズは、通常、像の反転を防止するために、内部において結像しないように設計されるのが一般的である（例えば、特許文献１，２参照。）。
【特許文献１】特開平１１−１３３３１１号公報
【特許文献２】特開平７−３３３５２２号公報
【発明の開示】
【発明が解決しようとする課題】
【０００３】
しかしながら、例えば、マウス等の実験小動物の皮下に先端を差し込んで、実験小動物の体内を生きたまま観察する目的から、対物レンズの先端を細く構成する必要がある。このような場合、対物レンズを通過する光束を極めて細く維持することが必要となる。この目的を達成するために、対物レンズの内部において光を複数回結像させながらリレーする光学系を構成することが考えられる。また、光をリレーする長さによっては、結像回数が奇数回となったり、偶数回となったりする場合がある。
【０００４】
対物レンズ内における結像回数が奇数回の場合、対物レンズ内において像が１８０°回転する。標本に対して対物レンズを移動させる方式の場合、対物レンズ内において像が１８０°回転すると、以下の不都合がある。
すなわち、対物レンズおよび標本を外部から目視で観察しながら両者の相対的な位置決め作業を行う場合に、観察者は十字キー等の操作部を操作して、標本に対して対物レンズを移動させる。このとき、仮に十字キーの右側を押すと、標本に対して対物レンズが右側に移動し、左側を押すと左側に移動するように設定しておくことが操作性の観点から好ましいことは言うまでもない。
【０００５】
しかしながら、このように対物レンズ内における結像回数が奇数回の場合、対物レンズ内において像が１８０°回転しているので、モニタに表示される画像は１８０°回転しており、モニタのみを見ながら観察を行う観察者が標本のさらに右側を見ようとする場合、観察者は十字キーの左側を押し、左側を見ようとする場合、十字キーの右側を押さなければならないと言う不都合がある。
【０００６】
同様のことが、対物レンズ内における結像回数がゼロ回または偶数回の場合においても発生する。
すなわち、対物レンズ内において像が回転しない場合であっても、固定された対物レンズに対して標本を移動させる方式の場合には、対物レンズおよび標本を外部から目視で観察しながら両者の相対的な位置決め作業を行う際に、観察者は十字キー等の操作部を操作して、対物レンズに対して標本を移動させる。このとき、観察者が十字キーの右側を押すと、対物レンズに対して標本が右側に移動し、左側を押すと左側に移動するように設定しておくことが操作性の観点から好ましい。
【０００７】
しかしながら、この場合においても、モニタのみを見ながら観察を行う観察者が標本のさらに右側を見ようとする場合、観察者が十字キーの右側を押すと、対物レンズに対して標本が右側に移動し、その結果、モニタには標本の左側の部分が表示されてしまうという不都合がある。
これらの場合のように、観察者がモニタの表示を見ながら操作したときに、観察者の意思とは逆方向に表示されている標本が移動してしまうと、拡大倍率が大きい場合に、標本上の注目位置を見失い、場合によっては観察のチャンスを逃してしまう問題がある。
【０００８】
この発明は、上述した事情に鑑みてなされたものであって、モニタのみで観察する観察者の意思どおりにモニタ上の標本を移動させることができ、注目位置を見失ったり観察チャンスを逃したりしてしまう不都合を防止することができる観察装置を提供することを目的としている。
【課題を解決するための手段】
【０００９】
上記目的を達成するために、本発明は以下の手段を提供する。
本発明は、通過する光を奇数回結像させる対物レンズと、該対物レンズを標本に対して光軸に交差する方向に移動させる移動機構と、該移動機構を操作する操作部と、前記対物レンズを介して取得された光に基づいて標本の画像を取得する画像取得装置と、該画像取得装置により取得された画像を表示する画像表示装置とを備え、前記操作部が、前記画像表示装置の作動状態に応じて前記移動機構による対物レンズの移動方向を逆転させる観察装置を提供する。
【００１０】
本発明によれば、観察者が操作部を操作して移動機構を作動させると、対物レンズが標本に対して光軸に交差する方向に移動する。この場合に、対物レンズが通過する光を奇数回結像させるので、モニタに表示される像は実際の標本に対して１８０°回転しており、なんら対策しない場合には、外部から対物レンズを目視しながら操作部を操作する場合と、モニタのみを見ながら操作部を操作する場合とで観察者の意思に対する標本と対物レンズとの相対移動方向が逆転する。
【００１１】
本発明によれば、画像表示装置が作動していない場合に、操作部が操作されると、観察者が対物レンズを外部から目視で見ながら操作部を操作しているものとして、操作部の操作方向と対物レンズの移動方向とを一致させ、画像表示装置が作動しているときには、その移動方向を逆転させることで、観察者の意思に対する標本と対物レンズとの相対移動方向を常に一致させることができる。これにより、注目位置を見失ったり観察チャンスを逃したりしてしまう不都合を防止することができる。
【００１２】
また、本発明は、通過する光をゼロ回または偶数回結像させる対物レンズと、該対物レンズに対して標本を光軸に交差する方向に移動させる移動機構と、該移動機構を操作する操作部と、前記対物レンズを介して取得された光に基づいて標本の画像を取得する画像取得装置と、該画像取得装置により取得された画像を表示する画像表示装置とを備え、前記操作部が、前記画像取得装置の作動状態に応じて前記移動機構による対物レンズの移動方向を逆転させる観察装置を提供する。
【００１３】
本発明によれば、観察者が操作部を操作して移動機構を作動させると、対物レンズが標本に対して光軸に交差する方向に移動する。この場合に、対物レンズが通過する光をゼロ回または偶数回結像させるので、モニタに表示される像は実際の標本を回転させることなく表示している。したがって、操作部の操作により標本を移動させると、なんら対策しない場合には、外部から対物レンズを目視しながら操作部を操作する場合と、モニタのみを見ながら操作部を操作する場合とで観察者の意思に対する標本と対物レンズとの相対移動方向が逆転する。
【００１４】
本発明によれば、画像表示装置が作動していない場合に、操作部が操作されると、観察者が標本を外部から目視で見ながら操作部を操作しているものとして、操作部の操作方向と標本の移動方向とを一致させ、画像表示装置が作動しているときには、その移動方向を逆転させることで、観察者の意思に対する標本と対物レンズとの相対移動方向を常に一致させることができる。これにより、注目位置を見失ったり観察チャンスを逃したりしてしまう不都合を防止することができる。
【００１５】
また、本発明は、通過する光を奇数回結像させる対物レンズと、該対物レンズを標本に対して光軸に交差する方向に移動させる移動機構と、該移動機構を操作する操作部と、前記対物レンズを介して取得された光に基づいて標本の画像を取得する画像取得装置と、該画像取得装置により取得された画像を表示する画像表示装置と、少なくとも前記対物レンズおよび標本を覆う開閉可能なカバーとを備え、前記操作部が、前記カバーの開閉状態に応じて前記移動機構による対物レンズの移動方向を逆転させる観察装置を提供する。
【００１６】
本発明によれば、観察者が操作部を操作して移動機構を作動させると、対物レンズが標本に対して光軸に交差する方向に移動する。この場合に、対物レンズが通過する光を奇数回結像させるので、モニタに表示される像は実際の標本に対して１８０°回転しており、なんら対策しない場合には、外部から対物レンズを目視しながら操作部を操作する場合と、モニタのみを見ながら操作部を操作する場合とで観察者の意思に対する標本と対物レンズとの相対移動方向が逆転する。
【００１７】
本発明によれば、カバーが開かれている状態では、標本および対物レンズを外部から目視しながら操作できる一方、カバーが閉じられることにより、少なくとも対物レンズと標本が覆われて、目視できなくなる。したがって、カバーが開かれている状態で操作部が操作されると、観察者が対物レンズを外部から目視で見ながら操作部を操作しているものとして、操作部の操作方向と対物レンズの移動方向とを一致させる。一方、カバーが閉じられている状態では観察者が標本をモニタにより観察しているものとして、その移動方向を逆転させることで、観察者の意思に対する標本と対物レンズとの相対移動方向を常に一致させることができる。これにより、注目位置を見失ったり、観察チャンスを逃したりしてしまう不都合を防止することができる。
【００１８】
また、本発明は、通過する光をゼロ回または偶数回結像させる対物レンズと、該対物レンズに対して標本を光軸に交差する方向に移動させる移動機構と、該移動機構を操作する操作部と、前記対物レンズを介して取得された光に基づいて標本の画像を取得する画像取得装置と、該画像取得装置により取得された画像を表示する画像表示装置と、少なくとも前記対物レンズおよび標本を覆う開閉可能なカバーとを備え、前記操作部が、前記カバーの開閉状態に応じて前記移動機構による標本の移動方向を逆転させる観察装置を提供する。
【００１９】
本発明によれば、観察者が操作部を操作して移動機構を作動させると、対物レンズが標本に対して光軸に交差する方向に移動する。この場合に、対物レンズが通過する光をゼロ回または偶数回結像させるので、モニタに表示される像は実際の標本を回転させることなく表示している。したがって、操作部の操作により標本を移動させると、なんら対策しない場合には、外部から対物レンズを目視しながら操作部を操作する場合と、モニタのみを見ながら操作部を操作する場合とで観察者の意思に対する標本と対物レンズとの相対移動方向が逆転する。
【００２０】
本発明によれば、カバーが開かれている場合に、操作部が操作されると、観察者が標本を外部から目視で見ながら操作部を操作しているものとして、操作部の操作方向と標本の移動方向とを一致させ、カバーが閉じられている場合には、観察者がモニタにより標本を観察しているとして、その移動方向を逆転させることで、観察者の意思に対する標本と対物レンズとの相対移動方向を常に一致させることができる。これにより、注目位置を見失ったり観察チャンスを逃したりしてしまう不都合を防止することができる。
【発明の効果】
【００２１】
本発明によれば、モニタのみで観察する観察者の意思どおりにモニタ上の標本を移動させることができ、注目位置を見失ったり観察チャンスを逃したりしてしまう不都合を防止することができるという効果を奏する。
【発明を実施するための最良の形態】
【００２２】
以下、本発明の一実施形態に係る観察装置１について、図１〜図３を参照して説明する。
本実施形態に係る観察装置１は、図１に示されるように、レーザ走査型蛍光顕微鏡であって、レーザ光Ｌを発するレーザ光源２と、該レーザ光源２から発せられたレーザ光Ｌを標本Ａに照射して、標本Ａから発せられる蛍光Ｆを検出する観察ヘッド３と、該観察ヘッド３を標本Ａに対して、対物レンズ４の光軸に直交する方向に移動させる移動機構５とを備えている。測定ヘッド３には、レーザ光源２から発せられるレーザ光Ｌを走査するスキャナ６と、該スキャナ６により走査されたレーザ光Ｌを集光する瞳投影レンズ７と、該瞳投影レンズ７により集光されたレーザ光Ｌを略平行光にする結像レンズ８と、該結像レンズ８により略平行にされたレーザ光Ｌを標本Ａに照射する対物レンズ４と、対物レンズ４によりレーザ光Ｌを照射された標本Ａから発せられる蛍光Ｆをレーザ光Ｌから分離するダイクロイックミラー９と、分離された蛍光Ｆを集光する集光レンズ１０と、該集光レンズ１０により集光された蛍光Ｆを検出する光検出器（画像取得装置）１１とが備えられている。図中、符号１２はバリアフィルタ、符号１３はピンホール、符号２５はステージ、符号２６はミラーである。
【００２３】
スキャナ６は、画像の左右方向に対応する主走査方向にレーザ光Ｌを走査する第１のガルバノミラー６ａと、画像の上下方向に対応する副走査方向にレーザ光Ｌを走査する第２のガルバノミラー６ｂとを備える、いわゆる近接ガルバノミラーである。これにより、レーザ光Ｌがラスタスキャン方式で標本Ａ上に２次元的に走査されるようになっている。
【００２４】
また、スキャナ６には該スキャナ６を制御するスキャナ制御装置１４が接続され、スキャナ制御装置１４には制御装置（ＣＰＵ）１５が接続されている。ＣＰＵ１５は、スキャナ制御装置１４にスキャナ６によるレーザ光Ｌの走査範囲を指示する一方、該ＣＰＵ１５には、スキャナ制御装置１４からスキャナ６の走査位置情報が入力されるようになっている。また、ＣＰＵ１５には、Ａ／Ｄ変換器１６を介して前記光検出器１１が接続され、光検出器１１により検出された蛍光Ｆの輝度情報がＣＰＵ１５に入力されるようになっている。
【００２５】
対物レンズ４は、入射されたレーザ光Ｌを内部において奇数回結像させる結像状態を有するものが採用されている。
移動機構５は、対物レンズ４の光軸に直交する２軸方向に観察ヘッド３を移動可能な、例えば、２対のボールネジ１７およびモータ１８を備えている（図中は一対のみを示す）。移動機構５はＣＰＵ１５に接続され、ＣＰＵ１５からの指令によって作動させられるようになっている。ＣＰＵ１５には、十字キー１９を有するコントローラ２０が接続されている。ＣＰＵ１５とコントローラ２０とにより操作部が構成されている。観察者がコントローラ２０の十字キー１９を操作することにより、十字キー１９の４つの矢印方向に対応する方向に移動機構５を作動させるよう、ＣＰＵ１５が作動指令を出力するようになっている。これにより、対物レンズ４を標本Ａに対して移動させることができるようになっている。
【００２６】
また、ＣＰＵ１５には、フレームメモリ２１を介してモニタ（画像表示装置）２２が接続されている。また、ＣＰＵ１５には、例えば、ハードディスクのような記録装置２３およびメモリ２４が接続されている。
ＣＰＵ１５に入力されたスキャナ６の走査位置情報と輝度情報とはＣＰＵ１５によって関連づけられてメモリ２４に記録され、スキャナ６による走査範囲の全体にわたって、対応づけられた情報が蓄積されることで、１枚の画像情報が作成されるようになっている。
【００２７】
フレームメモリ２１は、画像上の縦方向と横方向の各画素に対応するアドレス位置を備えていて、取得された各走査位置に対応する輝度情報がフレームメモリ２１上の各アドレス位置に順次格納されるようになっている。フレームメモリ２１の各アドレス位置に格納された輝度情報はその都度、あるいは、１画面分の輝度情報が蓄積された時点でモニタ２２に出力されるようになっている。これにより、撮影された標本Ａの画像がリアルタイムでモニタ２２に表示されることになる。
【００２８】
本実施形態においては、ＣＰＵ１５は、スキャナ制御装置１４に作動指令を出力しているか否かに応じて、コントローラ２０からの移動指令信号と移動機構５への作動指令信号との対応付けを切り替えるようになっている。すなわち、スキャナ制御装置１４に作動指令を出力していない状態では、モニタ２２に標本Ａの画像が表示されていない。したがって、この状態でコントローラ２０の十字キー１９が押されるのは、観察者がモニタ２２を見ながら操作しているのではなく、標本Ａと対物レンズ４とを直接目視により観察しながら操作しているものと考えられる。
【００２９】
一方、スキャナ制御装置１４に作動指令を出力している状態では、光検出器１１からの輝度情報がＣＰＵ１５に入力され、フレームメモリ２１を介してモニタ２２に画像が表示されている。したがって、この状態でコントローラ２０の十字キー１９が押されるのは、観察者がモニタ２２を見ながら操作しているものと考えられる。
【００３０】
そこで、本実施形態においては、ＣＰＵ１５は、スキャナ制御装置１４に作動指令を出力していないとき、つまり、モニタ２２に画像が表示されていないときには、移動機構５が以下のように対物レンズ４を移動させるように設定されている。
すなわち、図２に示されるように、十字キー１９の右側の矢印（図中破線で囲んだ位置）が押されたとき（図２（ａ））には、対物レンズ４が右向きに移動し（同図（ｂ））、十字キー１９の左側の矢印が押されたときには、対物レンズ４が左向きに移動する。また、十字キー１９の下側の矢印が押されたときには、対物レンズ４が観察者に対して手前側に移動し、十字キー１９の上側の矢印が押されたときには、対物レンズ４が観察者に対して離れる方向に移動するようになっている。
【００３１】
一方、本実施形態においては、ＣＰＵ１５は、スキャナ制御装置１４に作動指令を出力しているとき、つまり、スキャナ６によりレーザ光Ｌが走査され、光検出器１１により蛍光Ｆが検出され、その輝度情報がフレームメモリ２１を介してモニタ２２に表示されているときには、移動機構５が以下のように対物レンズ４を移動させるように設定されている。
すなわち、図３に示されるように、十字キー１９の右側の矢印が押されたとき（図３（ａ））には、対物レンズ４が左向きに移動し（同図（ｂ））、十字キー１９の左側の矢印が押されたときには、対物レンズ４が右向きに移動する。また、十字キー１９の下側の矢印が押されたときには、対物レンズ４が観察者に対して離れる方向に移動し、十字キー１９の上側の矢印が押されたときには、対物レンズ４が観察者に対して手前側に移動するようにうなっている。
【００３２】
このように構成された本実施形態に係る観察装置１の作用について以下に説明する。
本実施形態に係る観察装置１を用いて標本Ａを観察するには、まず最初に、ステージ２５上に搭載した標本Ａに対し、対物レンズ４を移動させて大まかに位置合わせする。この場合に、観察者は、ステージ２５上の標本Ａと、該標本Ａに近接配置された対物レンズ４とを直接目視にて観察しながら位置合わせ作業を行う。したがって、レーザ光Ｌの出力は不要であり、レーザ光源２、スキャナ制御装置１４、スキャナ６、フレームメモリ２１およびモニタ２２は停止状態とされ、モニタ２２に標本Ａの画像が表示されていない状態で位置合わせ作業が行われる。
【００３３】
すなわち、観察者は、コントローラ２０の十字キー１９を操作して、対物レンズ４を移動させる。この場合に、本実施形態においては、十字キー１９の矢印と対物レンズ４の移動方向とが一致しているので、観察者は、対物レンズ４の移動方向に対応する十字キー１９の矢印を直感的に認識できる。したがって、操作性を向上して位置合わせ作業を容易に行うことができる。
【００３４】
このようにして、標本Ａに対して対物レンズ４が大まかに位置合わせされた状態で、レーザ光源２、スキャナ制御装置１４およびモニタ２２を作動させ、レーザ光源２からレーザ光Ｌを出射させる。レーザ光源２から発せられたレーザ光Ｌは、スキャナ６によって２次元的に走査され、瞳投影レンズ７、結像レンズ８および対物レンズ４を経て、標本Ａに照射される。標本Ａにレーザ光Ｌが照射されると、標本Ａ内に存在する蛍光物質がレーザ光Ｌによって励起され、蛍光Ｆが発生する。標本Ａにおいて発生した蛍光Ｆは、対物レンズ４、結像レンズ８、瞳投影レンズ７およびスキャナ６を経由してレーザ光Ｌと同じ経路を戻り、ダイクロイックミラー９によって分離されて集光レンズ１０により集光され、光検出器１１により検出される。
【００３５】
光検出器１１により検出された蛍光Ｆの輝度情報およびスキャナ制御装置１４からのスキャナ６の走査位置情報はＣＰＵ１５に送られ、ＣＰＵ１５において相互に対応づけられてメモリ２４に記憶される。また、スキャナ６の各走査位置とフレームメモリ２１のアドレス位置とは相互に対応づけられているので、光検出器１１により検出された各走査位置の輝度情報が、その走査位置に対応するフレームメモリ２１のアドレス位置に格納される。フレームメモリ２１に格納された輝度情報は、そのままモニタ２２に表示され、スキャナ６による走査範囲の全体を走査する間に１枚の画像情報がモニタ２２に表示される。
【００３６】
この場合において、本実施形態に係る観察装置１は、内部において奇数回結像する対物レンズ４を取り付けているので、モニタ２２に表示される標本Ａの画像は、現実の標本Ａの像に対して１８０°回転している。一方、ＣＰＵ１５が、スキャナ制御装置１４への作動指令を出力しているので、コントローラ２０の十字キー１９の矢印と対物レンズ４の移動方向との対応関係が、上述とは逆の関係となるように切り替えられている。
【００３７】
したがって、観察者が、モニタ２２に表示されている標本Ａの画像を見ながら、その観察範囲の微調整を行いたい場合に、コントローラ２０の十字キー１９を操作して、対物レンズ４を移動させると、モニタ２２に１８０°回転して表示されている標本Ａの画像が、十字キー１９の矢印の方向と一致する方向に移動させられる。すなわち、観察者は、モニタ２２のみを見て観察範囲の調整を行う場合においても、観察範囲を移動させたい方向に対応する十字キー１９の矢印を直感的に認識できる。したがって、操作性を向上して観察範囲の微調整作業を容易に行うことができる。
【００３８】
本実施形態に係る観察装置１によれば、対物レンズ４および標本Ａを目視しながらその位置合わせを行う場合、および、モニタ２２のみを見ながら観察範囲の調整を行う場合のいずれにおいても、コントローラ２０の十字キー１９の矢印に一致する方向に、対物レンズ４あるいは観察範囲を移動させることができるので、観察者が直観的に判断を誤ることがないという利点がある。その結果、対物レンズ４を逆方向に移動させてしまって注目位置を見失ったり、観察チャンスを逃したりしてしまう不都合を防止できるという効果がある。
【００３９】
なお、本実施形態においては、コントローラ２０の十字キー１９の矢印と対物レンズ４の移動方向との対応関係を、スキャナ制御装置１４への作動指令の有無によって切り替えることとしたが、これに代えて、スキャナ６の作動状態、フレームメモリ２１の作動状態あるいはモニタ２２の作動状態等によって切り替えることとしてもよい。
また、観察者が対物レンズ４を操縦する操作部としてＣＰＵ１５およびコントローラ２０の十字キー１９を例示したが、これに限定されるものではなく、他の任意の形態の操作部を採用してもよい。
【００４０】
また、本実施形態においては、対物レンズ４として、レーザ光Ｌを奇数回結像させる対物レンズ４を採用し、かつ、移動機構５が該対物レンズ４を標本Ａに対して移動させる観察装置１について説明したが、これに代えて、図４に示されるように、対物レンズ４′として、レーザ光Ｌをゼロ回または偶数回結像させる対物レンズ４′を採用し、かつ、標本Ａを対物レンズ４′に対して光軸に交差する方向に移動させるステージ（移動機構）２５′を有する場合に適用することとしてもよい。
【００４１】
すなわち、目視により標本Ａを搭載したステージ２５′および対物レンズ４′を確認しながら大まかな位置合わせを行う場合に、コントローラ２０の十字キー１９の右側の矢印を押す（図５（ａ））と、ステージ２５′が右向きに移動し（同図（ｂ））、以下、コントローラ２０の十字キー１９の矢印の方向と、ステージ２５′の移動方向とが一致していることが、観察者の直感に一致するため操作性がよい。
【００４２】
一方、対物レンズ４′が、レーザ光Ｌをゼロ回または偶数回結像させる場合には、モニタ２２に表示される画像は、回転されることなくそのまま表示される。しかしながら、対物レンズ４′に対して標本Ａが移動させられるため、この場合に、コントローラ２０の十字キー１９の矢印をステージ２５′の移動方向と一致させたのでは、モニタ２２上の画像は観察者の意志とは逆方向に移動させられる。
【００４３】
したがって、本実施形態においては、モニタ２２により観察する場合には、目視により操作する場合に対して、コントローラ２０の十字キー１９とステージ２５′の移動方向との対応付けを逆転させることとしている。すなわち、図６（ａ）に示されるように、十字キー１９の右側の矢印を押した場合には、同図（ｂ）に示されるように、ステージ２５′が左向きに移動し、以下、コントローラ２０の十字キー１９の矢印の方向と、ステージ２５′の移動方向とが逆転していることが、観察者の直感に一致するため操作性がよい。このようにすることで、いずれの場合においても、観察者が直感的に標本Ａや観察範囲の移動方向を認識でき、注目位置を見失ったり、観察チャンスを逃したりしてしまう不都合を防止できる。
【００４４】
また、上記実施形態においては、レーザ走査型蛍光観察装置を例示して説明したが、これに限定されるものではなく、モニタ２２により標本Ａの画像を観察する他の任意の形式の観察装置に適用することとしてもよい。
【００４５】
また、レーザ光Ｌを用いる観察装置１の場合、レーザ光Ｌが外部に漏れることを防止する必要から、少なくとも対物レンズ４および標本Ａをカバーにより覆う場合がある。例えば、図７に示されるように、観察ヘッド３全体を暗箱（カバー）３０により覆うことにより、レーザ光Ｌが外部に漏れることを防止できる。
【００４６】
この場合に、ステージ２５上に標本Ａを搭載し、標本Ａに対して対物レンズ４を位置合わせする作業は、暗箱３０を開いた状態で行われ、大まかな位置合わせが終了した時点で暗箱３０が閉じられ、それ以降は、モニタ２２により標本Ａの画像を観察するようになる。すなわち、モニタ２２による観察時には標本Ａおよび対物レンズ４を目視観察することができない。
【００４７】
したがって、この場合には、暗箱３０の開閉状態を検出するセンサ３１を設け、該センサ３１の出力に応じて、ＣＰＵ１５がコントローラ２０の矢印の方向と対物レンズ４の移動方向との対応関係を逆転させることにしてもよい。
【図面の簡単な説明】
【００４８】
【図１】本発明の一実施形態に係る観察装置を示す全体構成図である。
【図２】図１の観察装置において対物レンズを目視する場合のコントローラの矢印の方向と対物レンズの移動方向との対応関係を示す図である。
【図３】図１の観察装置において標本の画像をモニタにより観察する場合のコントローラの矢印の方向と対物レンズの移動方向との対応関係を示す図である。
【図４】図１の観察装置の変形例を示す全体構成図である。
【図５】図４の観察装置において対物レンズを目視する場合のコントローラの矢印の方向とステージの移動方向との対応関係を示す図である。
【図６】図４の観察装置において標本の画像をモニタにより観察する場合のコントローラの矢印の方向とステージの移動方向との対応関係を示す図である。
【図７】図１の観察装置の他の変形例を示す全体構成図である。
【符号の説明】
【００４９】
Ａ  標本
Ｆ  蛍光（光）
Ｌ  レーザ光（光）
１  観察装置
４，４′対物レンズ
５  移動機構
１１  光検出器（画像取得装置）
１５  ＣＰＵ（操作部）
１９  十字キー
２０  コントローラ（操作部）
２２  モニタ（画像表示装置）
２５′  ステージ（移動機構）
３０  カバー
【図１】
2007065573.tif 000003
【図２】
2007065573.tif 000004
【図３】
2007065573.tif 000005
【図４】
2007065573.tif 000006
【図５】
2007065573.tif 000007
【図６】
2007065573.tif 000008
【図７】
2007065573.tif 000009